(57)【要約】【課題】  情報収集方式において、例えば、ネットワークの輻輳等の理由で所定の時刻に情報を取得できなかった場合に、取り損ねた時間帯の情報のみを後で取得できるというように、必要に応じて特定の時刻の情報のみを取得可能とすることを目的としている。【解決手段】  情報収集方式において、時刻情報と対となる情報を、前記時刻情報と対にして保管する情報保管部と、前記情報保管部で保管された情報から、指定時刻に対応する時刻情報と対となる情報を、ネットワークを介して取得する情報取得部と、を備える。【選択図】  図１
2005323042.tif 000002
【特許請求の範囲】
【請求項１】
時刻情報と対となる情報を、前記時刻情報と対にして保管する情報保管部と、
前記情報保管部で保管された情報から、指定時刻に対応する時刻情報と対となる情報を、ネットワークを介して取得する情報取得部と、
を備えることを特徴とする情報収集方式。
【請求項２】
前記情報取得部は、前記情報保管部で保管された情報から、指定時刻範囲に対応する時刻情報と対となる情報を、ネットワークを介して取得することを特徴とする請求項１に記載の情報収集方式。
【請求項３】
前記情報取得部は、前記情報保管部で保管された情報から、指定時刻に対応する時刻情報と、この時刻情報と対となる情報を、ネットワークを介して取得することを特徴とする請求項１に記載の情報収集方式。
【請求項４】
観測結果に対応する情報を求める観測部を備え、
前記情報保管部は、前記観測部で求めた情報を、観測時刻に対応する時刻情報と対にして保管することを特徴とする請求項１に記載の情報収集方式。
【請求項５】
前記観測部で求めた情報に基づいて、前記観測部で求める情報を選択する情報選択部と、
を備えることを特徴とする請求項４に記載の情報収集方式。
【請求項６】
時刻情報と対となる情報を、前記時刻情報と対にして保管する情報保管部と、
指定時刻を含む情報取得要求を受信する要求受信部と、
前記情報保管部で保管された情報から、前記指定時刻に対応する時刻情報と対となる情報を、前記情報取得要求の送信元にネットワークを介して返信する情報返信部と、
を備えることを特徴とする情報収集装置。
【請求項７】
指定時刻を含む情報取得要求を送信する要求送信部と、
前記情報取得要求に対応して返信された情報を、ネットワークを介して受信する情報受信部と、
を備えることを特徴とする情報収集装置。
【請求項８】
時刻情報と対となる情報を、前記時刻情報と対にして保管する情報保管工程と、
前記情報保管工程で保管された情報から、指定時刻に対応する時刻情報と対となる情報を、ネットワークを介して取得する情報取得工程と、
を備えることを特徴とする情報収集方法。
【請求項９】
時刻情報と対となる情報を、前記時刻情報と対にして保管する情報保管工程と、
指定時刻を含む情報取得要求を受信する要求受信工程と、
前記情報保管工程で保管された情報から、前記指定時刻に対応する時刻情報と対となる情報を、前記情報取得要求の送信元にネットワークを介して返信する情報返信工程と、
を備えることを特徴とする情報収集方法。
【請求項１０】
指定時刻を含む情報取得要求を送信する要求送信工程と、
前記情報取得要求に対応して返信された情報を、ネットワークを介して受信する情報受信工程と、
を備えることを特徴とする情報収集方法。
【発明の詳細な説明】
【技術分野】
【０００１】
この発明は、ネットワークシステムにおける情報収集技術に関するものである。
【背景技術】
【０００２】
従来、ネットワークに接続されている各種の機器から、CPU（Central Processing Unit）使用率等のシステム情報や、トラヒック量等の統計情報を収集するために、ネットワーク管理プロトコルであるSNMP（Simple Network Management Protocol）が用いられている（例えば特許文献１参照）。
SNMPによる情報収集では、SNMPマネージャ装置（管理装置）が、取得したい情報を示すGETパケットを、SNMPエージェント装置（被管理装置）に対して送信し、SNMPエージェント装置は、MIB（Management Information Base）と呼ばれるデータベースに保持されている情報を、RESPONSEパケットによって返信する。
なお、一般にMIBはある時点での瞬間的な値を保持するものであるが、情報を保持するインターバルや回数の設定により、時系列で情報を保持することを可能としたRMON MIB（Remote Network Monitoring Management Information Base）も知られている。
【０００３】
【特許文献１】特開２０００−１３４２０３号公報
【発明の開示】
【発明が解決しようとする課題】
【０００４】
特許文献１に開示された従来の情報収集方式においては、例えば、ネットワークの輻輳等の理由で所定の時刻に情報を取得できなかった場合に、取り損ねた時間帯の情報のみを後で取得することができないというように、必要に応じて特定の時刻の情報のみを取得することができないという問題点があった。
【０００５】
この発明は、上述のような課題を解決するためになされたもので、情報収集方式において、必要に応じて特定の時刻の情報のみを取得可能とすることを目的としている。
【課題を解決するための手段】
【０００６】
この発明に係る情報収集方式は、時刻情報と対となる情報を、前記時刻情報と対にして保管する情報保管部と、前記情報保管部で保管された情報から、指定時刻に対応する時刻情報と対となる情報を、ネットワークを介して取得する情報取得部と、を備えるものである。
【発明の効果】
【０００７】
この発明は、情報収集方式において、必要に応じて特定の時刻の情報のみを取得することができる。
【発明を実施するための最良の形態】
【０００８】
実施の形態１．
この発明の実施の形態１による情報収集方式は、エージェント装置において、観測時刻と対にして観測情報を保管し、マネージャ装置において、時刻範囲を指定して観測情報を取得するようにしたので、必要に応じて特定の時間帯の観測情報のみを取得することができるものである。
【０００９】
図１は、この発明の実施の形態１による情報収集方式におけるネットワークシステムを示す構成図である。
図１において、エージェント装置１およびマネージャ装置２は、それぞれネットワーク３に接続されている。なお、エージェント装置およびマネージャ装置は、それぞれ複数台であっても良い。
【００１０】
観測部１１は、エージェント装置１が観測対象としている各種の観測項目を観測し、この観測結果に対応する観測情報を演算で求めるものである。なお、観測項目は、例えばCPU使用率、メモリ使用量、ネットワークトラヒック量等である。
初期設定ファイル１２は、観測部１１による観測情報を履歴データベース１３に保管する時間間隔とデータ保管期間を含むエージェント装置１の動作条件を規定するものである。なお、初期設定ファイル１２の実装形態は、いわゆるテキストファイルに限らず、メモリ上に保持するような実装形態としても良い。
【００１１】
情報保管部としての履歴データベース１３は、観測部１１による観測結果を時系列で保管するデータベースである。要求受信部としてのGET受信部１４は、マネージャ装置２からのGETパケットを受信するものである。応答作成部１５は、マネージャ装置２からのGETパケットに応じた応答内容を作成するものである。RESPONSE返信部１６は、応答作成部１５により作成した応答内容をRESPONSEパケットに入れて、マネージャ装置２に返信するものである。なお、応答作成部１５とRESPONSE返信部１６とで情報返信部を構成する。履歴整理部１７は、履歴データベース１３の中から、データ保管期間を経過したデータを削除するものである。
【００１２】
次に動作について説明する。
まず、エージェント装置１が起動すると、観測部１１により、エージェント装置１が観測対象としている観測項目の観測を開始する。ここで、観測の方法は、観測項目毎に定められるものであり、ここでは説明を省略する。そして、初期設定ファイル１２で規定された時間間隔で、その時点での観測結果に対応する観測情報と時刻情報を対にして履歴データベース１３に保管する。図２は、履歴データベース１３に保管される観測情報と時刻情報のイメージを示す説明図である。図２に示すように、観測項目、観測時刻、観測値を一組として保管する。なお、ここでは説明のために単一の表にしているが、観測項目毎に複数の表に分割しても良い。その場合は、図２の表において、「観測項目」の列は不要になる。
このような観測を行う一方、GET受信部１４は、マネージャ装置２からのGETパケットの受信を待つ。
【００１３】
マネージャ装置２は、図３に示すようなパケット構造をもつGETパケットを送信することにより、エージェント装置１に情報の取得を要求する。図３に示すように、GETパケットは、SNMPをベースとするパケット形式をもつ。図３において、PDU Type〜Object2,Value2までのデータ項目は、従来の情報収集方式で使われるデータ項目と同様である。本発明の実施の形態１によるマネージャ装置２では、これにStart Time、End Timeの２つのデータ項目を追加することを特徴とする。StartTimeは、取得したい観測情報の最も古い時刻を示し、EndTimeは、最も新しい時刻を示す。
【００１４】
GET受信部１４は、このようなGETパケットを受信すると、観測項目と時刻範囲を抽出し、応答作成部１５に渡す。応答作成部１５は、GET受信部１４が受信したGETパケットに含まれる観測項目について、StartTimeが示す時刻からEndTimeが示す時刻までの間の時刻情報と観測情報を、履歴データベース１３から検索し、RESPONSE返信部１６に渡す。RESPONSE返信部１６は、応答作成部１５からの時刻情報と観測情報により、観測情報と時刻情報の組毎にRESPONSEパケットを作り、順にマネージャ装置２に送信する。このとき、RESPONSEパケットは、図４に示すようなパケットの構造をもつ。図４において、PDU Type〜Object2、Value2までのデータ項目は、従来の情報収集方式で使われるデータ項目と同様である。本発明の実施の形態１によるエージェント装置１では、これにTimeを追加することを特徴とする。Timeは、観測時刻に対応する時刻情報である。
なお、観測情報と時刻情報の複数の組をまとめて１つのRESPONSEパケットを作るようにしても良い。
【００１５】
履歴整理部１７は、履歴データベース１３から、データ保管期間を経過した古いデータを削除する。履歴整理部１７は、エージェント装置１の起動時に、初期設定ファイル１２からデータ保管期間を読み取り、その後、一定期間毎に、このデータ保管期間を経過したデータを履歴データベース１３から削除する。
【００１６】
以上のように、この発明の実施の形態１による情報収集方式においては、エージェント装置において、観測時刻と対にして観測情報を保管し、マネージャ装置において、時刻範囲を指定して観測情報を取得するようにしたので、必要に応じて特定の時間帯の観測情報のみを取得することができる。これにより、例えば、ネットワークの輻輳等の理由で所定の時間帯に観測情報が取得できなかった場合でも、取り損ねた時間帯の過去の観測情報のみを後で取得することが可能になる。
【００１７】
なお、上記の説明では、時刻範囲を指定するものを示したが、１つの時刻を指定するようにしたものでも良い。
また、収集する情報が観測情報に限られるものでないことは言うまでもなく、時刻情報と対となる情報であれば良い。
【００１８】
実施の形態２．
以上の実施の形態１は、情報収集方式において、特定の時間帯の観測情報を取得可能とするものであるが、実施の形態２は、さらに、観測結果に基づいて、ネットワークの状態に応じて観測項目を選択可能な情報収集方式を実現するものである。
【００１９】
この発明の実施の形態２による情報収集方式におけるネットワークシステムの構成は、図１と同様であるが、初期設定ファイル２は、例えば、図５に示すように、観測結果に基づいて追加観測項目を選択するための表をもつ。
【００２０】
図５において、基準観測項目であるCPU使用率が３０％以上になったら追加観測項目であるメモリ使用量の観測を開始し、メモリ使用量の観測開始後、CPU使用率が２０％未満になったらメモリ使用量の観測を中止するようにする。観測部１１は、CPU使用率の観測中にこれらの閾値チェックを行い、このCPU使用率の観測結果に応じて追加観測項目の観測の要否を決定する。
これにより、例えば、通常時には少ない観測項目のみ観測し、ネットワークの輻輳等の理由でCPU使用率が増加する警戒時には、観測項目を増やし、より詳細な観測ができるようにするというように、ネットワークの状態に応じて観測項目を選択することができるのである。
【００２１】
なお、基準観測項目と追加観測項目は任意に決めることができる。例えばトラヒックの総量を基準観測項目とし、追加観測項目としてプロトコル単位やアドレス単位でのトラヒック量とするというように、トラヒック量に応じて観測内容を詳細化するようにしても良い。また、基準観測項目と追加観測項目は、それぞれ複数であっても良い。
【００２２】
以上のように、この発明の実施の形態２による情報収集方式においては、エージェント装置において、観測結果に基づいて観測項目を選択するようにしたので、ネットワークの状態に応じて観測項目を選択することができる。
【００２３】
なお、上述のように、この発明の実施の形態１および２では、ネットワーク管理プロトコルとしてSNMPを用いる場合を示したが、ネットワーク管理プロトコルがこれに限られるものでないことは言うまでもなく、SNMPと同様にネットワークシステムにおける情報収集に対応したものであれば良い。
【図面の簡単な説明】
【００２４】
【図１】この発明の実施の形態１による情報収集方式におけるネットワークシステムを示す構成図
【図２】この発明の実施の形態１による情報収集方式を説明するための説明図
【図３】この発明の実施の形態１による情報収集方式におけるパケット構造を示す図
【図４】この発明の実施の形態１による情報収集方式におけるパケット構造を示す図
【図５】この発明の実施の形態２による情報収集方式を説明するための説明図
【符号の説明】
【００２５】
１  エージェント装置
２  マネージャ装置
３  ネットワーク
１１  観測部
１２  初期設定ファイル
１３  履歴データベース
１４  GET受信部
１５  応答作成部
１６  RESPONSE返信部
【図１】
2005323042.tif 000003
【図２】
2005323042.tif 000004
【図３】
2005323042.tif 000005
【図４】
2005323042.tif 000006
【図５】
2005323042.tif 000007